(57)【要約】【課題】種々の大きさの平面状掛物を壁に取り付ける際、その大きさや形状に任意に対応することができ、しかも、掛物からのはみ出し部分を小さくできるようにした掛物のブラケットを提供する。【解決手段】ディスプレイ装置６を壁面に取り付けるためのブラケット１において、壁面に接触する接触面１５を有する底部１１と、その底部１１から起立する複数の起立側面部を備えたブラケット構成要素１０を複数設け、一のブラケット構成要素１０の起立側面部を他のブラケット構成要素１０の起立側面部に連結させることによって複数の形状の接触面１５を形成するようにする。また、起立側面部に、他のブラケット構成要素１０の起立側面部と連結するためのネジ孔１６２を設け、そのネジ孔１６２に、ディスプレイ装置６を掛止するための掛止部材１７を取り付ける。【選択図】図１
2008050879.tif 000002
【特許請求の範囲】
【請求項１】
薄型ディスプレイ装置などの平面状の掛物を壁面に取り付けるためのブラケットにおいて、壁面に接触する接触面を有する底部と、当該底部から起立する複数の起立側面部を備えたブラケット構成要素を複数設け、一のブラケット構成要素の起立側面部を他のブラケット構成要素の起立側面部に連結させることによって複数の形状の接触面を形成するようにしたことを特徴とするブラケット。
【請求項２】
前記起立側面部に、他のブラケット構成要素の起立側面部と連結するための孔部を設け、当該孔部に、平面状の掛物を掛止するための掛止部材を取り付けるようにした請求項１に記載のブラケット。
【発明の詳細な説明】
【技術分野】
【０００１】
本発明は、壁面にプラズマディスプレイや液晶テレビなどのような比較的大型なディスプレイ装置を装着するためのブラケットに関するものであり、より詳しくは、種々の大きさや形状のディスプレイ装置などを容易に取り付けられるようにしたブラケットに関するものである。
【背景技術】
【０００２】
近年、液晶テレビやプラズマテレビなどのディスプレイ装置の普及に伴って、壁面にこのようなディスプレイ装置を取り付けるためのブラケットが種々提案されるようになってきている。
【０００３】
例えば、下記の特許文献１には、プラスターボードなどに大型の液晶テレビやプラズマテレビなどを取り付けるようにしたブラケットが提案されている。このブラケットは、図１０に示すように、ディスプレイ装置を取り付けるためのブラケット１００と、このブラケット１００をプラスターボード２ａなどの壁面に取り付けるための装着部材５０とを備えたもので、装着部材５０をプラスターボード２ａを介して奥方の内壁板２ｂに取り付け、この装着部材５０によって平面状のブラケット１００をプラスターボード２ａの表面に押し付けるようにしたものである。このように構成すれば、強度の弱いプラスターボード２ａとの面接触による摩擦によって比較的重量を有するディスプレイ装置を簡単に取り付けることができるようになる。
【０００４】
ところで、近年の技術の高度化に伴って、このような液晶テレビやプラズマディスプレイの大型化が進み、また、多くのメーカーからも多種多様のサイズや形状のものが販売されるようになってきている。そして、これに対応して、これらの液晶テレビやプラズマディスプレイを壁面に取り付けるための専用のブラケットも同時に販売されるようになってきている。
【０００５】
このようなブラケットを壁面に取り付ける際、ディスプレイ装置の販売メーカーが現場の家庭で取り付け作業を行うのではなく、一般に、その取り付け工事を行う専門業者が実際に取り付け作業を行うことが多い。このため、その専門業者は、各メーカーのタイプに応じたブラケットをあらかじめ用意しておかなければならず、また、それぞれのメーカーの機種に応じたブラケットの取り付け方法なども熟知しておかなければならない。
【０００６】
これに対して、種々の大きさのディスプレイ装置に対応できるようにしたブラケットも提案されている。例えば、下記の特許文献２には、パネル７４間に構成された目地７５にディスプレイを取り付けられるようにしたブラケットが開示されている。このブラケットは、図１１に示すように、パネル７４の目地７５に形成された溝に係止される係止部７０と、この係止部７０から延設される桟支持部７１と、この桟支持部７１に水平に配設される係止桟７２と、この係止桟７２に係止される係止具７３を備え、ディスプレイ装置の背面に固着された係止具をその係止桟７２に係止できるようにしたものである。これにより、目地７５のピッチに合わせて係止部７０の位置を容易に調整することができ、また、ディスプレイのサイズに合わせて間隔を容易に調整することができるようになる。
【特許文献１】特開２００５−２９０７８７号公報
【特許文献２】特開２００６−００２４２０号公報
【発明の開示】
【発明が解決しようとする課題】
【０００７】
しかしながら、上記特許文献２に記載されるようなブラケットは、パネル間の目地を利用してディスプレイ装置を取り付けるものであるため、プラスターボードやコンクリート壁面、ベニア合板の壁面などで構成されて一般的な家庭の壁面にディスプレイ装置を取り付けることはできない。また、このようなブラケットは、目地と目地の間に係止部を取り付けてディスプレイ装置を支持するものであるため、目地と目地の間よりも小さなディスプレイ装置を取り付ける場合は、その係止部などがディスプレイ装置からはみ出してしまい、見栄えの悪いものとなってしまう。
【０００８】
そこで、本発明は上記課題に着目してなされたもので、種々の大きさの平面状掛物を壁に取り付ける際、その大きさや形状に任意に対応することができ、しかも、掛物からのはみ出し部分を小さくできるようにした掛物のブラケットを提供することを目的とする。
【課題を解決するための手段】
【０００９】
すなわち、本発明は上記課題を解決するために、薄型ディスプレイ装置などの平面状の掛物を壁面に取り付けるためのブラケットにおいて、壁面に接触する接触面を有する底部と、当該底部から起立する複数の起立側面部を備えたブラケット構成要素を複数設け、一のブラケット構成要素の起立側面部を他のブラケット構成要素の起立側面部に連結させることによって複数の形状の接触面を形成するようにしたものである。
【００１０】
このように構成すれば、同一の形状に構成されたブラケット構成要素を縦方向および横方向に連結していくだけで種々の大きさや形状のディスプレイ装置に対応することができ、そのブラケット構成要素を多数用意しておくだけでディスプレイ装置を取り付けることができる。また、その際、メーカー毎のブラケットの取り付け方法をそれぞれ熟知しておかなくても、そのブラケット構成要素の取り付け方法のみを知っていれば、簡単にブラケットを取り付けることができるようになる。
【００１１】
また、このような発明において、起立側面部に、他のブラケット構成要素の起立側面部と連結するための孔部を設け、当該孔部に、平面状の掛物を掛止するための掛止部材を取り付けるようにする。
【００１２】
このように構成すれば、他のブラケット構成要素と連結するためのネジ孔などを利用して掛止部材を取り付けることができるので、ブラケット構成要素を複雑な構成にしなくても簡単に掛止部材を取り付けることができるようになる。しかも、連結された複数のブラケット構成要素のうち、いずれかのブラケット構成要素のネジ孔を選択して掛止部材を取り付けることができるので、掛止部材の高さ位置などを容易に変更することができるようになる。
【発明の効果】
【００１３】
本発明によれば、薄型ディスプレイ装置などの平面状の掛物を壁面に取り付けるためのブラケットにおいて、壁面に接触する接触面を有する底部と、当該底部から起立する複数の起立側面部を備えたブラケット構成要素を複数設け、一のブラケット構成要素の起立側面部を他のブラケット構成要素の起立側面部に連結させることによって複数の形状の接触面を形成するようにしたので、同一の形状のブラケット構成要素を縦方向および横方向に連結するだけで種々の大きさや形状のディスプレイ装置に対応することができる。これにより、そのブラケット構成要素を複数個用意しておくだけでディスプレイ装置を取り付けることができ、さらには、メーカー毎のブラケットの取り付け方法を知らなくても、そのブラケット構成要素の取り付け方法だけを知っていれば、壁面にブラケットを取り付けることができる。
【発明を実施するための最良の形態】
【００１４】
以下、本発明の一実施の形態について図面を参照して説明する。図１は、プラズマテレビや液晶テレビなどのようなディスプレイ装置６を装着するためのブラケット１をプラスターボード２ａの壁面に取り付ける状態を示したものであり、図２は、そのブラケット１を構成するブラケット構成要素１０の正面図、側面図、底面図を示したものである。また、図３及び図４は、ブラケット１をプラスターボード２ａの表面に取り付ける際に使用される装着部材５とその使用例を示したものである。
【００１５】
この実施の形態におけるブラケット１は、図１に示すように、室内空間側の壁面に液晶ディスプレイやプラズマディスプレイなどのディスプレイ装置６を掛止するもので、同一形状に構成された複数のブラケット構成要素１０を連結して構成するようにしたものである。そして、取り付け対象となるディスプレイ装置６の形状に合わせた比較的大きな接触面１５を形成し、この接触面１５を壁面に押圧させることによって壁面との摩擦力によってディスプレイ装置６を支持できるようにしたものである。以下、本実施の形態におけるブラケット１およびそのブラケット構成要素１０の構成について詳細に説明する。
【００１６】
ブラケット構成要素１０は、図２に示すように、縦横寸法の異なる長方形状に構成されるもので、壁面との接触面１５を有する底部１１と、この底部１１の各端辺から起立する起立側面部１６とを備えてなる。このブラケット構成要素１０の縦横寸法は、縦横比率が整数倍となるように設定されており、この実施の形態では、縦寸法を１００ｍｍ、横寸法を４００ｍｍに設定されている。また、起立側面部１６の立ち上がり寸法については、可能な限りその寸法を小さくしており、この実施の形態では、具体的には、１４ｍｍと長手方向の寸法の１／５〜１／７程度に設定している。これらの底部１１や起立側面部１６は一枚の金属板を加工することによって一体的に構成され、底部１１と起立側面部１６がそれぞれ９０度をなすように構成される。なお、これらの縦横寸法の数値についてはこれらの値に限定されるものではなく、取り付け対象となる物の大きさや形状に合わせて適宜変更される。また、起立側面部１６については、底部１１から折り曲げて構成される場合に限らず、起立側面部１６を底部１１の端部に溶着することによって形成することもできる。
【００１７】
この底部１１には、複数の孔が設けられており、このうち最も大きく構成された第一の孔部１２は、横方向に沿った中心線に沿って複数箇所設けられる。この第一の孔部１２は、図３や図４に示す装着部材５を取り付けられるようにしたものであり、樹脂製の装着部材５を嵌め込むことによってプラスターボード２ａにブラケット１を取り付けられるようにしたものである。この装着部材５は、図３や図４に示すように、プラスターボード２ａの奥方の壁面に取り付けられる壁面内装着部材３と、プラスターボード２ａの表面側に取り付けられる表壁面装着部材４とを設けて構成される。このうち壁面内装着部材３は、鍔状に構成された頭部３０と、その頭部３０の中心から立設する軸部３１とを設けて構成される。この軸部３１は、その外周面に表壁面装着部材４の抜けを防止するための複数の逆行防止突起３２ａを有するスライド規制部３２を設けており、また、そのスライド規制部３２の内側中心部分に軸方向に沿った軸孔３３を設けている。この軸孔３３は、壁面内装着部材３の頭部３０近傍にまで設けられており、尖状のビスなどをその内側に押し込むことによってその先端部分を頭部３０から露出させて、内壁板２ｂにその尖状部分を差し込めるようにしている。また、この頭部３０は、内壁板２ｂとの接触部分３０ａを平面状にしており、その接触部分に接着剤を塗布することなどによって内壁板２ｂに取り付けられるようになっている。なお、比較的軸方向への荷重がかからないような場合には、この壁面内装着部材３は接着剤のみによって内壁板２ｂの表面に取り付けられるが、比較的重いディスプレイ装置６を装着する場合は、軸方向への抜けを防止するために小さなビスを用いて補強される。一方、表壁面装着部材４は、鍔状の鍔部４０と、プラスターボード２ａの貫通孔２０に挿入される円筒状の挿入部４１とを有してなる。この挿入部４１は、その内部に壁面内装着部材３のスライド規制部３２に対応した複数の逆行防止突起３２ａを有する雌孔４２を有している。また、この挿入部４１の外周部分には、プラスターボード２ａの貫通孔２０に内接しうるように漸次先端側に向かって細くしたテーパー面４３を有しており、このテーパー面４３によって表壁面装着部材４をプラスターボード２ａの貫通孔２０に密着させるようにしている。このような表壁面装着部材４を壁面内装着部材３に取り付ける場合は、まず、壁面内装着部材３をプラスターボード２ａの奥方の壁面に取り付けて固定した後、ブラケット１取付要素の第一の孔部１２の上から表壁面装着部材４を押し込む。すると、スライド規制部３２によって不可逆的に表壁面装着部材４が挿入され、ブラケット１をプラスターボード２ａの表面に密着させるように押し付ける。このようにブラケット１をプラスターボード２ａの表面に押し付ければ、その表面付近にディスプレイ装置６を取り付けた場合であっても、そのディスプレイ装置６に作用する重力を壁面とブラケット１の接触面１５に作用する摩擦力で支えることができ、装着部材５を奥壁へ深く打ち込むことなく簡単にディスプレイ装置６を取り付けることができるようになる。なお、この場合、ブラケット１とプラスターボード２ａとの接触面１５によってディスプレイ装置６を支持することになるため、接触面１５における摩擦力を大きくすることが好ましい。この摩擦力を大きくするためには、装着部材５の軸方向の力を大きくすれば良いが、軸方向の力を大きくするとプラスターボード２ａの破損を招く可能性がある。このため、好ましくは、ブラケット構成要素１０の接触面１５に粘着性を有するフィルム状の部材などを取り付けておくとよい。
【００１８】
一方、この底部１１に設けられる中位の大きさの孔部で構成された第二の孔部１３は、コンクリートの打ちっ放し壁面に図示しないアンカー部材を装着するためのものであり、この孔を介してアンカーボルトが打ち込まれる。また、比較的小さな径の孔部で構成された第三の孔部１４は、ベニアなどの合板で壁面が構成されている場合に、図示しない木ねじなどを打ち込むためのものである。この第三の孔部１４は、小さな木ねじを数多く打てるようにするために、上下４カ所及び中央に６カ所設けられる。
【００１９】
この底面の各端辺から直角に起立する起立側面部１６は、本発明における連結部を構成するもので、他のブラケット構成要素１０の起立側面部１６を連結することによって底部１１の接触面１５を面一に構成できるようにしている。この起立側面部１６のうち、短手方向から起立する第一の起立側面部１６０には、上下２カ所ネジ孔１６２が設けられており、また、長手方向から起立する第二の起立側面部１６１には、前記第一の起立側面部１６０のネジ孔１６２と等間隔に６カ所のネジ孔１６２が設けられている。この６カ所のネジ孔１６２のうち、両端からの２カ所については、第一の起立側面部１６０を連結した場合に側辺部分が連続するような位置に設けられており、また、中央部分に位置する一対のネジ孔１６２については、ちょうど第二の起立側面部１６１の中央部分に他のブラケット構成要素１０の第一の起立側面部１６０を連結できるように設けられている。これらのネジ孔１６２は、ボルトとナットを介してそれぞれのブラケット１取付要素を連結できるようにしてもよく、また、片方のブラケット１取付要素のネジ孔１６２にネジ溝を切っておき、これに他方側からネジを取り付けるようにしてもよい。また、この第二の起立側面部１６１における両端側に位置するネジ孔１６２は、他のブラケット１取付要素のネジ孔１６２の位置と対面させた場合に、それぞれのブラケット構成要素１０の端辺が直線状になるようになっており、これにより、図６から図８に示すように枠状のブラケット１を構成できるようになっている。
【００２０】
この図５から図８について説明すると、図５は、横長状態に平行に設けられたブラケット構成要素１０の両端に縦長状のブラケット構成要素１０を連結し、全体として長方形状に構成するようにしたものである。この図５に示すブラケット１には、横縦寸法比率が１６対９に構成されたディスプレイ装置６のうち、ディスプレイの両側にスピーカーを有するディスプレイ装置６などを取り付けることができる。また、図６は、横長状態に２つ連結したブラケット構成要素１０に縦長状にしたブラケット構成要素１０を挟み込むように連結したものであり、横縦比率が１６対９に構成されたディスプレイ装置６のうちスピーカーをディスプレイの上下に設けた比較的長方形状に近いディスプレイ装置６を取り付けられるようにしたものである。また、図７は、横長状態に設けられた一つのブラケット構成要素１０の両端に縦長状のブラケット構成要素１０を連結して全体としてＨ型をなすようにしたものであり、比較的小型のディスプレイ装置６であって中央部分で掛け止めするタイプのディスプレイ装置６を取り付けられるようにしたものである。また、図８及び図９は、同様に比較的小さなサイズのディスプレイ装置６を取り付けるためのものであり、横長方向に配置されたブラケット構成要素１０を上下方向に連結したもの、及び、単体で横長状態で使用するものである。なお、図９において、ブラケット構成要素１０は一つでブラケット１を構成している。これらのブラケット１の構成例はあくまでも一例であり、縦方向・横方向にブラケット構成要素１０を任意に連結することによって多種多様の形状のブラケット１を構成することができる。
【００２１】
そして、このように構成されたブラケット１には、図１に示すように、掛止部材１７が取り付けられる。この掛止部材１７は、ブラケット１にディスプレイ装置６を掛け止めるためのものであり、鈎状に構成されたフック部１７０をディスプレイ装置６の裏面側に掛け止めできるようにしたものである。この掛止部材１７は、ブラケット構成要素１０の起立側面部１６にネジ止めできるようにした起立側面部１６と同じ縦横寸法を有する取付部１７１を設けており、この取付部１７１に設けられたネジ孔１６２と起立側面部１６のネジ孔１６２を対面させてネジ止めできるようにしている。なお、図１においては、ブラケット１の最上部の起立側面部１６に掛止部材１７を取り付けるようにしているが、これに限らず、それよりも下方の起立側面部１６に掛止部材１７を取り付けるようにしてもよい。このような場合としては、例えば、壁面へブラケット１を取り付けた後に、ディスプレイ装置６の高さ位置を変更した場合などに、その取り付け位置が変更される。
【００２２】
このように上記実施の形態によれば、ディスプレイ装置６を壁面に取り付けるためのブラケット１において、壁面に接触する接触面１５を有する底部１１と、その底部１１から起立する複数の起立側面部１６を備えたブラケット構成要素１０を複数設け、一のブラケット構成要素１０の起立側面部１６を他のブラケット構成要素１０の起立側面部１６に連結させることによって複数の形状の接触面１５を形成するようにしたので、同一の形状に構成されたブラケット構成要素１０を縦方向および横方向に連結していくだけで種々の大きさや形状のディスプレイ装置６を壁面に取り付けることができ、そのブラケット構成要素１０を多数用意しておくだけでディスプレイ装置６を取り付けることができるようになる。また、その際、メーカー毎のブラケット１の取り付け方法をそれぞれ熟知しておかなくても、そのブラケット構成要素１０の取り付け方法のみを知っていれば、簡単にブラケット１を取り付けることができるようになる。
【００２３】
また、起立側面部１６に、他のブラケット構成要素１０の起立側面部１６と連結するためのネジ孔１６２を設け、そのネジ孔１６２に、ディスプレイ装置６を掛止するための掛止部材１７を取り付けるようにしたので、起立側面部１６のネジ孔１６２を利用して掛止部材１７を取り付けることができ、ブラケット構成要素１０を複雑にしなくても簡単に掛止部材１７を設けることができるようになる。しかも、連結された複数のブラケット構成要素１０のうち、いずれかのブラケット構成要素１０のネジ孔１６２を選択して掛止部材１７を取り付けることができるので、掛止部材１７の高さ位置などを容易に変更することができるようになる。
【００２４】
なお、本発明は上記実施の形態に限定されることなく、種々の態様で実施することができる。
【００２５】
例えば、上記実施の形態では、液晶ディスプレイやプラズマディスプレイなどの薄型のディスプレイ装置６を壁面に取り付ける場合について説明したが、これに限らず、平面状に構成された他の重量物などを取り付ける場合についても適用することができる。この場合、他の重量物としては、例えば、薄型の照明器具、薄型のエアコンなどが考えられるが、これに限定されるものではない。
【００２６】
また、上記実施の形態では、室内空間における壁面に対象物を取り付ける場合について説明したが、必ずしも室内空間に限定されるものではなく、屋外における壁面に重量物を取り付ける場合にも適用することができる。この場合としては、例えば、屋外に設けられる給湯器などを壁面に取り付ける場合などが考えられる。
【００２７】
さらに、上記実施の形態では、ブラケット構成要素１０として長方形状の部材を用いて説明してが、長方形状に限定されるものではなく、正方形状であってもよく、もしくは、他の形状であってもよい。すなわち、同一形状に構成されたブラケット構成要素１０を多数連結することによって任意の形状の接触面１５を構成できるようにすればよい。
【００２８】
加えて、上記実施の形態において、それぞれの起立側面部１６を密着させてネジ止めすることによって連結させるようにしたが、連結の方法としてはこれに限るものではなく、他の手段によってブラケット構成要素１０を連結させるようにしてもよい。
【図面の簡単な説明】
【００２９】
【図１】本発明の一実施の形態であるブラケットの取り付け状態を示す斜視図
【図２】同形態に使用されるブラケット構成要素を示す図
【図３】同形態におけるブラケットをプラスターボードに取り付ける場合の装着部材を示す図
【図４】同形態におけるブラケットをプラスターボードに取り付ける場合の装着部材を示す図
【図５】同形態におけるブラケット構成要素を連結した一つの使用例
【図６】同形態におけるブラケット構成要素を連結した一つの使用例
【図７】同形態におけるブラケット構成要素を連結した一つの使用例
【図８】同形態におけるブラケット構成要素を連結した一つの使用例
【図９】同形態におけるブラケット構成要素を連結した一つの使用例
【図１０】従来例におけるブラケット
【図１１】従来例におけるブラケット
【符号の説明】
【００３０】
１・・・ブラケット
１０・・・ブラケット構成要素
１１・・・底部
１２・・・第一の孔部
１３・・・第二の孔部
１４・・・第三の孔部
１５・・・接触面
１６・・・起立側面部
１６０・・・第一の起立側面部
１６１・・・第二の起立側面部
１６２・・・ネジ孔
１７・・・掛止部材
１７０・・・フック部
１７１・・・取付部
２ａ・・・プラスターボード
２ｂ・・・内壁板
２０・・・貫通孔
５・・・装着部材
３・・・壁面内装着部材
３０・・・頭部
３１・・・軸部
３２・・・スライド規制部
３２ａ・・・逆行防止突起
３３・・・軸孔
４・・・表壁面装着部材
４０・・・鍔部
４１・・・挿入部
４２・・雌孔
４３・・・テーパー面
６・・・ディスプレイ装置
１００・・・ブラケット
５０・・・装着部材
７０・・・係止部
７１・・・桟支持部
７２・・・係止桟
７３・・・係止具
【図１】
2008050879.tif 000003
【図２】
2008050879.tif 000004
【図３】
2008050879.tif 000005
【図４】
2008050879.tif 000006
【図５】
2008050879.tif 000007
【図６】
2008050879.tif 000008
【図７】
2008050879.tif 000009
【図８】
2008050879.tif 000010
【図９】
2008050879.tif 000011
【図１０】
2008050879.tif 000012
【図１１】
2008050879.tif 000013